(57)【要約】【課題】断続的な発光をさせることで、所望とするタイミングで使用したり、長期的に使用したりすることができる化学発光具および化学発光方法を提供する。【解決手段】化学発光具１０は、シュウ酸エステル、過酸化水素および蛍光物質を含有する化学発光用組成物が含浸される円柱状に形成された第１の基材３０と、化学発光用組成物と接触することで反応を促進する触媒成分を担持させた、または／および触媒機能を有する第１の基材３０の周囲に巻かれた第２の基材４０と、第１の基材３０と第２の基材４０とが収納された透明なペットボトルである容器２０とを備えている。この容器２０を変形させて第１の基材３０から染み出させた化学発光用組成物を第２の基材４０に接触させて発光させることで、第１の基材３０から染み出させた分量だけ反応させることができるので断続的な発光を行うことができる。【選択図】図１
2013087161.tif 000002
【特許請求の範囲】
【請求項１】
シュウ酸エステル、過酸化水素および蛍光物質を含有する化学発光用組成物を、触媒成分に接触させて発光させる化学発光具であって、
前記化学発光用組成物が含浸される第１の基材と、
前記触媒成分を担持させた、または／および触媒機能を有する第２の基材と、
前記第１の基材と前記第２の基材とが収納された光透過性を有する容器とを備え、
前記容器を変形させて前記第１の基材から染み出させた前記化学発光用組成物を、前記第２の基材に接触させることを特徴とする化学発光具。
【請求項２】
シュウ酸エステル、過酸化水素および蛍光物質を含有する化学発光用組成物を、触媒成分に接触させて発光させる化学発光具であって、
前記化学発光用組成物が含浸される第１の基材と、
前記触媒成分を担持させた、または／および触媒機能を有する第２の基材と、
前記第１の基材と前記第２の基材とが収納された光透過性を有する容器とを備え、
前記容器を揺動することで前記第１の基材から染み出させた前記化学発光用組成物を、前記第２の基材に接触させることを特徴とする化学発光具。
【請求項３】
前記第１の基材は、前記第２の基材の内側に位置しており、
前記第２の基材は、前記第１の基材と前記容器の内側面との間に位置している請求項１または２記載の化学発光具。
【請求項４】
前記第２の基材は、凹凸状に形成されている請求項１から３のいずれかの項に記載の化学発光具。
【請求項５】
前記容器には、化学発光の際に発生する気体を排出するための排気口が設けられ、
前記排気口の周囲には、穴あきカバーが設けられている請求項１から４のいずれかの項に記載の化学発光具。
【請求項６】
シュウ酸エステル、過酸化水素および蛍光物質を含有する化学発光用組成物を、触媒成分に接触させて発光させる化学発光方法であって、
光透過性を有する容器を変形させて、前記容器に収納した第１の基材から前記化学発光用組成物を染み出させ、
前記化学発光用組成物を、前記触媒成分を担持させた、または／および触媒機能を有する第２の基材とに接触させることを特徴とする化学発光方法。
【請求項７】
シュウ酸エステル、過酸化水素および蛍光物質を含有する化学発光用組成物を、触媒成分に接触させて発光させる化学発光方法であって、
光透過性を有する容器を揺動することで、前記容器に収納した第１の基材から化学発光用組成物を染み出させ、
前記化学発光用組成物を、前記触媒成分を担持させた、または／および触媒機能を有する第２の基材に接触させることを特徴とする化学発光方法。
【発明の詳細な説明】
【技術分野】
【０００１】
本発明は、化学的に発光させる化学発光具および化学発光方法に関するものである。
【背景技術】
【０００２】
蛍光液と酸化液とを混合して化学発光させる従来の化学発光具として、特許文献１に記載のされたものが知られている。
特許文献１のチューブ状化学発光体の構造は、熱可塑性樹脂製外側チューブ内にポリオレフィン樹脂製内側チューブを挿入して、内側チューブ内に酸化液を充填すると共に、酸化液を充填した状態の内側チューブ内に蛍光液を充填したガラスアンプルを収容して密閉したことが記載されている。このような化学発光具は、折り曲げることで内部のガラスアンプルを破割して蛍光液を内側チューブ内へ流出させて、酸化液と混合させることで化学発光させている。
【０００３】
この特許文献１は、蛍光液と酸化液の２液を混合させるタイプのものであるが、触媒に化学発光用組成物を接触させることで発光させる技術が特許文献２に記載されている。
【０００４】
この特許文献２に記載の化学発光方法および化学発光表示装置は、触媒成分および蛍光物質を担持させた被発光基材に、シュウ酸エステルと過酸化水素とを化学発光用組成物として接触させたり、触媒成分を担持させた被発光基材に、化学発光用組成物および蛍光物質を接触させたりして発光させるものであり、化学発光用組成物として有機強酸を含有させることで、優れた長期貯蔵性と化学発光効果とが得られるというものである。
【先行技術文献】
【特許文献】
【０００５】
【特許文献１】特開２００９−１８９６１０号公報
【特許文献２】特許４０４８３７２号公報
【発明の概要】
【発明が解決しようとする課題】
【０００６】
しかし、特許文献１に記載のチューブ状化学発光体や、特許文献２に記載の化学発光方法および化学発光表示装置では、化学発光が連続的に行われるが、発光反応が終わると、蛍光液や酸化液、または化学発光用組成物の全てが変成してしまうため、再度、発光させることができない。
従って、従来の化学発光具では、所望とするタイミングで使用したい場合や、長期的に使用したい場合には、従来の化学発光具を複数用意する必要があった。
【０００７】
そこで本発明は、断続的な発光をさせることで、所望とするタイミングで使用したり、長期的に使用したりすることができる化学発光具および化学発光方法を提供することを目的とする。
【課題を解決するための手段】
【０００８】
本発明の化学発光具は、シュウ酸エステル、過酸化水素および蛍光物質を含有する化学発光用組成物を、触媒成分に接触させて発光させる化学発光具であって、前記化学発光用組成物が含浸される第１の基材と、前記触媒成分を担持させた、または／および触媒機能を有する第２の基材と、前記第１の基材と前記第２の基材とが収納された光透過性を有する容器とを備え、前記容器を変形させて前記第１の基材から染み出させた前記化学発光用組成物を、前記第２の基材に接触させることを特徴とする。
【０００９】
また、本発明の化学発光方法は、シュウ酸エステル、過酸化水素および蛍光物質を含有する化学発光用組成物を、触媒成分に接触させて発光させる化学発光方法であって、光透過性を有する容器を変形させて、前記容器に収納した第１の基材から前記化学発光用組成物を染み出させ、前記化学発光用組成物を、前記触媒成分を担持させた、または／および触媒機能を有する第２の基材とに接触させることを特徴とする。
【００１０】
容器を変形する度に新たに化学発光用組成物が第１の基材から染み出て、第２の基材の触媒と接触することで、化学発光用組成物の反応を促進させることができるので、発光が減少したときに容器を変形させれば、発光を増光することができる。従って、断続的に発光を行うことができる。
【００１１】
また、本発明の化学発光具は、シュウ酸エステル、過酸化水素および蛍光物質を含有する化学発光用組成物を、触媒成分に接触させて発光させる化学発光具であって、前記化学発光用組成物が含浸される第１の基材と、前記触媒成分を担持させた、または／および触媒機能を有する第２の基材と、前記第１の基材と前記第２の基材とが収納された光透過性を有する容器とを備え、前記容器を揺動することで前記第１の基材から染み出させた前記化学発光用組成物を、前記第２の基材に接触させることを特徴とする。
【００１２】
更に、本発明の化学発光方法は、シュウ酸エステル、過酸化水素および蛍光物質を含有する化学発光用組成物を、触媒成分に接触させて発光させる化学発光方法であって、光透過性を有する容器を揺動することで、前記容器に収納した第１の基材から化学発光用組成物を染み出させ、前記化学発光用組成物を、前記触媒成分を担持させた、または／および触媒機能を有する第２の基材に接触させることを特徴とする。
【００１３】
容器を揺動させる度に新たに化学発光用組成物が第１の基材から染み出て第２の基材の触媒と接触することで、化学発光用組成物の反応を促進させることができるので、発光が減少したときに容器を揺動させれば、発光を増光することができるので、断続的に発光を行うことができる。
【００１４】
前記第１の基材は、前記第２の基材の内側に位置しており、前記第２の基材は、前記第１の基材と前記容器の内側面との間に位置しているのが望ましい。このように第１の基材と第２の基材とを配置することで、第２の基材による発光を、第１の基材に邪魔されることなく容器の外側へ照射させることができる。
【００１５】
前記第２の基材が、凹凸状に形成されていると、第１の基材との接触面積が抑えられるため、接触することによる無用な発光を抑えることができる。また、第２の基材を凹凸状とすることで、発光する表面積を増加させることができるので、より明るい発光を得ることができる。
【００１６】
前記容器には、化学発光の際に発生する気体を排出するための排気口が設けられ、前記排気口の周囲には、穴あきカバーが設けられているので、化学発光により発生した気体を排気口から排出しつつ、第１の基材に含浸させた化学発光用組成物を排気口から漏れにくくすることができる。従って、容器内の内圧が高まることを防止することができる。
【発明の効果】
【００１７】
本発明によれば、容器を変形させたり容器を振ったりして、第１の基材から化学発光用組成物を染み出せる度に発光を増光させることができるので、断続的な発光をさせることができる。従って、本発明は、所望とするタイミングで使用したり、長期的に使用したりすることができる。
また、第１の基材に化学発光用組成物を含浸させて発光させているので、単に蛍光液と酸化液とを容器内で混合させて発光させるより、同等の発光面積を少ない量で光らせることができる。
【図面の簡単な説明】
【００１８】
【図１】本実施の形態１に係る化学発光具を示す斜視図である。
【図２】図１に示す化学発光具の使用状態を示す図である。
【図３】容器に排出部を設けた状態を示す一部拡大図である。
【図４】第２の基材を凹凸状に形成した状態を示す斜視図である。
【図５】本実施の形態１に係る化学発光具の変形例を説明ための斜視図であり、使用状態を示す図である。
【図６】本実施の形態２に係る化学発光具を示す断面図である。
【発明を実施するための形態】
【００１９】
本発明の実施の形態１に係る化学発光具を図面に基づいて説明する。
図１に示す化学発光具１０は、容器２０に第１の基材３０と第２の基材４０とが収納され、断続的に化学発光させることができるものである。
【００２０】
容器２０は、光透過性を有すると共に、外力により変形可能な可撓性を有している。本実施の形態１では、容器２０として、透明な瓶状体の一例である蓋付きのペットボトルを採用している。
第１の基材３０は、容器２０の胴部２１を加圧したときに、容器２０の変形による第２の基材４０の押圧が第１の基材３０に伝わるような大きさとするのが望ましい。そのため、本実施の形態１の第１の基材３０では、胴部２１が円筒形状に形成された容器２０に合わせて、円柱状に成形されている。第１の基材３０は、後述する化学発光用組成物が含浸できれば、特に制限されるものではなく、不規則な網状配列を有することで、化学発光用組成物を吸収しやすく、放出しやすい性質を有する吸収体が望ましい。第１の基材３０としては、綿、不織布、多孔質体の一例であるスポンジ、紙などが使用できる。
【００２１】
この第１の基材３０には、化学発光用組成物が含浸されている。化学発光用組成物としては、少なくともシュウ酸エステルと過酸化水素と蛍光物質を含有する。
シュウ酸エステル（オキサレート）としては、例えば、ビス（２，４，５−トリクロロ−６−カルボブトキシフェニルオキザレート）、ビス（２，４，５−トリクロロ−６−カルボペントキシフェニルオキザレート）等を例示することができる。過酸化水素としては、通常市販されているものが使用できる。
【００２２】
蛍光物質としては、３００〜１２００ｎｍにスペクトル発光を有し、且つ、希釈剤に少なくとも部分的に可溶なものであれば特に制限はない。これらの蛍光物質としては、例えば、アントラセン、置換アントラセン、ベンゾアントラセン、フェナントレン、置換フェナントレン、ナフタセン、置換ナフタセン、ペンタセン、置換ペンタセン、ペリレン、置換ペリレン、ビオラントロン、置換ビオラントロン等の、少なくとも３つの縮合環を有する共役多環芳香族化合物が挙げられる。上記化合物の置換基としては、フェニル基、低級アルキル基（Ｃ1〜Ｃ16）、クロロ基、ブロモ基、シアノ基、アルコキシ基（Ｃ1〜Ｃ16）が例示される。
【００２３】
好適な蛍光物質としては、９，１０−ビス（フェニルエチニル）アントラセン、１−メトキシ−９，１０−ビス（フェニルエチニル）アントラセン、ペリレン、１，５−ジクロロ−９，１０−ビス（フェニルエチニル）アントラセン、１，８−ジクロロ−９，１０−ビス（フェニルエチニル）アントラセン、ルブレン、モノクロロ及びジクロロ置換９，１０−ビス（フェニルエチニル）アントラセン、５，１２−ビス（フェニルエチニル）テトラセン、９，１０−ジフェニルアントラセン、１６，１７−ジヘキシルオキシビオラントロン、２−メチル−９，１０−ビス−（フェニルエチニル）アントラセン、９，１０−ビス−（４−メトキシフェニル）−２−クロロアントラセン、９，１０−ビス−（４−エトキシフェニル）−２−クロロアントラセン、１６，１７−ジデシクロキシビオラントロン、「ルモゲン・レッド」（「ＬＵＭＯＧＥＮ  ＲＥＤ」、赤色を発するペリレンジカルボキシイミド蛍光剤）、（「ＬＵＭＯＧＥＮ  ＹＥＬＬＯＷ」、黄色を発するペリレンジカルボキシイミド蛍光剤）、（「ＬＵＭＯＧＥＮ  ＯＲＡＮＧＥ」、オレンジ色を発するペリレンジカルボキシイミド蛍光剤）、５，１２−ビス−（フェニルエチニル）ナフタセン、５，６，１１，１２−テトラフェニルナフタセン及びこれらの混合物が挙げられる。
【００２４】
更に、化学発光用組成物に有機酸を含有させるのが望ましい。有機酸は、化学発光用組成物のｐＨを調節し、シュウ酸エステルと過酸化水素との反応を抑制する働きを有し、この働きを有するものであれば特に制限は無い。有機酸のｐｋａは、有機酸の使用量にもよるが、通常２以下、好ましくは−２〜２である。
【００２５】
有機酸としては、スルホン酸基、リン酸基、カルボン酸基を有する芳香族強酸または脂肪族強酸が好ましい。芳香族スルホン酸としては、ベンゼンスルホン酸、ｏ−トルエンスルホン酸、ｍ−トルエンスルホン酸、ｐ−トルエンスルホン酸、ｏ−キシレン−３−スルホン酸、ｏ−キシレン−４−スルホン酸、ｏ−キシレン−５−スルホン酸、ｐ−キシレンスルホン酸、ｏ−ベンゼンスルホン酸、ｍ−ベンゼンスルホン酸、ｐ−ベンゼンスルホン酸、１，３，５−ベンゼントリスルホン酸、ｏ−クロロベンゼンスルホン酸、ｍ−クロロベンゼンスルホン酸、ｐ−クロロベンゼンスルホン酸、ｏ−ブロモベンゼンスルホン酸、ｍ−ブロモベンゼンスルホン酸 、ｐ−ブロモベンゼンスルホン酸、ｏ−フェノールスルホン酸 、ｍ−フェノールスルホン酸、ｐ−フェノールスルホン酸、フェノール−２，４−ジスルホン酸、カテコール−３，５−ジスルホン酸、ニトロベンゼンスルホン酸、４−クロロ−３−メチル−５−ニトロゼンゼンスルホン酸、４−ヒドロキシー３−ニトロベンゼンスルホン酸などが例示できる。
【００２６】
また、脂肪族スルホン酸としては、メタンスルホン酸、エタンスルホン酸、メタンジスルホン酸、１，２−エタンジスルホン酸、２−ヒドロキシエタンスルホン酸、スルホ酢酸などが例示できる。
【００２７】
リン酸基またはカルボン酸基を有する有機酸としては、２−グリセリン燐酸、ｐ−グルコース−１−リン酸、ニトロ酢酸、ピコリン酸等の有機リン酸やカルボン酸などが例示できる。上記の有機酸は２種以上組合せて使用してもよい。上記の有機酸の中でも、好ましくはｐ−トルエンスルホン酸、ニトロ酢酸であり、低コスト及び容易に入手できる観点から、ｐ−トルエンスルホン酸がより好ましい。
有機酸を使用してシュウ酸エステルと過酸化水素との反応を抑制しているが、弱酸であるカルボン酸などを使用した場合、上記反応抑制は達成できず、また、より強い鉱酸（塩酸、硫酸など）を使用した場合、シュウ酸エステルや過酸化水素の分解が起る。更に、鉱酸を希釈して使用することも考えられるが、希釈した酸の添加によりシュウ酸エステル及び過酸化水素の濃度が薄まり、反応性が低下する。
【００２８】
有機酸の添加量は、使用する有機酸のｐｋａにより異なるが、シュウ酸エステルと蛍光物質と過酸化水素とから成る組成物が弱酸性（以下で説明するｐＨ範囲内）に成るような量を添加すればよく、通常、過酸化水素１モルに対し０．１ｍモル倍量以上、好ましくは１０ｍモル倍量以上である。添加量が少なすぎると、シュウ酸エステルと過酸化水素との反応が抑制できないこともあり、添加量が多すぎると酸性が強く成りすぎ、触媒と接触させても化学発光しない場合がある。
【００２９】
化学発光用組成物のｐＨは、通常３．０〜４．５、好ましくは３．６〜４．２である。ｐＨが３．０より低い場合、触媒と接触させても化学発光しなくなる可能性があり、ｐＨが４．５より高い場合、シュウ酸エステルと過酸化水素との反応を抑制することができない可能性がある。
【００３０】
また、化学発光用組成物には、上記化合物の他に、溶媒が含有されている。溶媒としては、エステル、アルコール、グリコール、グリコールエーテル等が例示される。エステルとしてはフタル酸ジメチル、フタル酸ジブチル、アセチルクエン酸トリブチル、クエン酸トリエチル、トリアセチンなどが例示できる。アルコールとしては、ｔｅｒｔ−ブタノール、エタノールなどが例示できる。グリコールとしては、ヘキシレングリコール、プロピレングリコール、ポリプロピレングリコールなどが例示できる。グリコールエーテルとしては、３−メトキシ−３−メチル−１−ブタノール、ジグリム（ジエチレングリコールジメチルエーテル）、ジエチレングリコールモノエチルエーテル、ジプロピレングリコールジメチルエーテル等が使用できる。また、溶媒としては、その他、γ-ブチロラクトンとすることができる。これらの溶媒は、単独で使用しても組み合わせて使用してもよい。
【００３１】
また、第１の基材３０側に蛍光物質を含浸させた場合の化学発光用組成物の調製方法は、シュウ酸エステル、蛍光物質および溶媒から成る溶液（溶液Ａと称する）を調製し、これとは別に、過酸化水素、有機酸および溶媒から成る溶液を調製し（溶液Ｂと称する）、溶液Ａと溶液Ｂとを混合して化学発光用組成物を調製する。
上記の調製方法は、有機酸により過酸化水素のｐＨを弱酸性に調節した後にシュウ酸エステルと混合するために、過酸化水素とシュウ酸エステルとの反応を最小限に抑制することができる。
【００３２】
第２の基材４０は、シート状のものを筒状に形成して、第１の基材３０の側面全体の周壁として設けられている。第２の基材４０は、化学発光用組成物と接触することで反応を促進する触媒成分を担持させたものとしたり、または／および触媒機能を有するものとしたりすることができる。
【００３３】
第２の基材４０としては、触媒成分を担持し得る限りその種類は特に制限されず、ガラス繊維シート、紙（濾紙）、織物や編物、フェルト、不織布などの布、ガラスシート、プラスチックシート、金属シート等が挙げられる。そして、触媒は、練り込み法や溶液のスプレー法により第２の基材４０の表面に担持させることができる。第２の基材４０を、ガラス繊維シート、ガラスシートとしたときには、第２の基材４０自体が触媒機能を有するので、賦活剤として他の触媒を担持させることを省略することができるが、更に第２の基材４０に触媒機能を向上させるために、賦活剤を担持させるのが好ましい。
【００３４】
ここで触媒（賦活剤）としては、例えば、サリチル酸リチウム、５−ｔ−ブチルサリチル酸リチウム、サリチル酸ナトリウム、サリチル酸テトラアルキルアンモニウム塩、２−クロロ安息香酸リチウム、酢酸ルビジウム等のサリチル酸およびその誘導体、安息香酸およびその誘導体または酢酸の金属塩またはアンモニウム塩などが挙げられる。
【００３５】
上記の各成分の使用割合は、従来公知の化学発光用組成物に準じて任意に選択することができる。一般に、オキサレートと蛍光物質の量比（モル比）は、化学発光を生じるのに十分な量とされるが、好ましくは２０〜４０：１である。
【００３６】
以上のように構成された本発明の実施の形態１に係る化学発光具の発光方法および使用状態について、図面に基づいて説明する。
まず、第１の基材３０および予め触媒が担持された第２の基材４０が配置された容器２０を準備する。そして、第１の基材３０にシュウ酸エステルと過酸化水素と蛍光物質と有機酸とを含有した化学発光用組成物を、蓋２２を開けた容器２０の飲み口から投入する。
第１の基材３０に、シュウ酸エステルと過酸化水素と蛍光物質とが含浸されているが、化学発光現象は認められない。これは、有機酸が添加されていることにより、化学発光用組成物のｐＨが、シュウ酸エステルと過酸化水素との反応が抑制される領域に調節されるからである。そのため、化学発光用組成物は、長期間安定して保存することができる。また、化学発光現象が抑制されているため、化学発光用組成物を触媒と接触させた際の化学発光の効果が非常に大きい。
【００３７】
第１の基材３０にシュウ酸エステルと過酸化水素と蛍光物質とを含浸させることで、第１の基材３０と第２の基材４０との接触する部分では化学発光が始まり仄かに発光をしている状態である。
【００３８】
図２に示すように、使用者は、容器２０の胴部２１を握り加圧する。この加圧により容器２０の胴部２１は窪み、変形する。使用者による胴部２１の握りは、１度でもよいし、発光が不足するのであれば数回に分けてもよい。
この変形により第２の基材４０が変形して第１の基材３０が押圧される。第１の基材３０が押圧されることで、第１の基材３０に含浸させたシュウ酸エステルと過酸化水素と蛍光物質とが第１の基材３０から放出され、染み出す。第１の基材３０からシュウ酸エステルと過酸化水素と蛍光物質とが染み出すことで、第２の基材４０の触媒と接触する。
【００３９】
第１の基材３０から染み出したシュウ酸エステルと過酸化水素とが触媒と接触することで、シュウ酸エステルと過酸化水素との反応が促進される。この反応により発光中間体（過酸化物）が生じ、当該発光中間体により蛍光物質が強く発光する。
具体的には、シュウ酸エステルと過酸化水素による化学発光反応（過シュウ酸エステル化学発光）により、過酸化物から１，２−ジオキセタンジオンまたは置換１，２−ジオキセタンジオンが生じ、これと蛍光物質との間で電荷移動錯体が形成され、蛍光物質が励起状態となる。これにより、第１の基材３０から放出された化学発光用組成物が第２の基材４０に浸透して仄かな発光が増光された強い発光となる。
【００４０】
増光された発光が始まれば、使用者による握りを弱めても発光の状態は持続する。また、握りを弱めることで容器２０は弾性変形から復帰する。
第１の基材３０から染み出したシュウ酸エステルと過酸化水素との反応が終わる頃には減光してくる。しかし、第１の基材３０に含浸させた化学発光用組成物の全部が染み出した訳ではなく、染み出した化学発光用組成物しか反応していないため、明かりが必要なタイミングで、再度、使用者が容器２０を握り、容器２０を加圧して変形させれば、また第１の基材３０から化学発光用組成物を染み出させることで、第２の基材４０の触媒と接触して増光させることができる。
【００４１】
このように、化学発光具１０は、容器２０を変形させる度に化学発光用組成物を反応させることで、増光させて、可視困難な状態から十分可視できるような状態に復帰させることができるので、断続的な発光を行うことができる。例えば、計画停電の度に使用するなど、所望とするタイミングで使用することができる。また、従来の化学発光具の連続的な発光では１度の発光で、例えば１日しか使用できないところを、一回の発光は短くなるが数回に分けて数日の発光とすることができるので、長期的に使用することができる。また、発光強度が低下したタイミングで容器２０を変形させれば増光することができる。
【００４２】
化学発光具１０によれば、所望とするタイミングで増光させることを、容器２０の変形という簡単な操作で行うことができる。また、容器２０への加圧（握力）の度合いを変えたり、加圧回数（握り回数）を変えたりすることで、発光時間を調整することができる。
【００４３】
また、容器２０に、第１の基材３０を内側に位置させ、第２の基材４０を第１の基材３０と容器２０の内側面との間に位置させているため、第２の基材４０による発光を第１の基材３０により邪魔されることなく容器２０の外側へ照射させることができる。特に、本実施の形態１では、第１の基材３０の側面全体に筒状の第２の基材４０を配置しているので、容器２０の全周に渡って照射することができる。
【００４４】
なお、実施の形態１では、蛍光物質を第１の基材３０に化学発光用組成物と共に含浸させているが、第２の基材４０に担持させても同様に発光させることができる。
また、本実施の形態１では、使用する際に蓋２２を開栓して、シュウ酸エステルと過酸化水素と蛍光物質と有機酸を充填して混合しているが、予め、シュウ酸エステルか、または過酸化水素のいずれか一方を充填しておいてもよい。
【００４５】
また、実施の形態１では、胴部２１が円筒形状に形成された容器２０に合わせて、第１の基材３０が円柱状に成形され、第２の基材４０がその第１の基材３０の周囲を周壁となるように設けていることで、胴部２１の内径に、第１の基材３０と第２の基材４０とを合わせた直径を合わせている。しかし、容器２０の変形可能な度合いに応じて、胴部２１の内周面と第２の基材４０との間に隙間ができるように、第１の基材３０の直径を決定してもよい。また、第１の基材３０は円柱状に限らず、多角形状としたり、異型状としたりすることができる。また第２の基材４０も同様である。
【００４６】
更に、本実施の形態１では、使用者が容器２０を握り加圧することで、容器２０を変形させているが、容器２０をグリップする把持部を有する機械を用いて、手動操作により加圧したり、自動的に加圧したりすることで、容器２０を変形させてもよい。
【００４７】
化学発光用組成物の反応が進むと二酸化炭素が発生する。図１に示す容器２０では蓋付きのペットボトルとしているため蓋を閉めた状態では密閉状態となる。そこで、図３に示すように、容器２０には、発生した二酸化炭素を排出するための排気部５０が蓋２２に設けられている。
【００４８】
排気部５０は、排気管５１と穴あきカバー５２とフィルタ５３とにより形成されている。排気管５１は、基端が蓋２２に露出させた状態で接続され、排気口となる先端が容器２０内に位置している。穴あきカバー５２は、パイプ状の管部５２１と、略楕円球状のカバー本体５２２とを備えている。
管部５２１は、先端が蓋２２に接続され、排気管５１が内部を挿通している。カバー本体５２２は、排気管５１の排気口となる先端部が中心部に位置し、穴５２３が全体にほぼ均等に穿孔されている。
フィルタ５３は、気体を通過させつつ、液体の通過を防止するものであればよく、綿状のものが使用できる。
【００４９】
このように排気管５１の周囲に穴あきカバー５２が設けられているので、容器２０を大きく揺動させて、第１の基材３０に含浸させた化学発光用組成物が、排気部５０の方向へ放出されても、排気管５１へ到達することを抑止することができる。従って、化学発光により発生した気体を排気管５１から排出しつつ、第１の基材３０に含浸させた化学発光用組成物を排気管５１から漏れにくくすることができる。また、容器２０を取り扱う際に、第１の基材３０や第２の基材４０が移動して、穴あきカバー５２に接触しても、排気管５１の先端の排気口は塞がれないため、反応により発生した二酸化炭素はカバー本体５２２の穴５２３を通じて排気管５１から排出することができるので、発生した二酸化炭素を確実に排気することができる。従って、容器２０内に二酸化炭素が貯まることで内圧が高まり、蓋２２が外れてしまうような事態を防止することができる。
【００５０】
また、排気管５１により容器２０内と外側とで通気することができるので、容器２０を加圧したときに、容易に容器２０を変形させることができるので、手軽に発光操作を行うことができる。
【００５１】
図３に示す排気部５０では、排気管５１が蓋２２の内側に容器２０の内部に向かって延びるように設けられているが、排気口として蓋２２に設けた単なる穴としてもよい。この場合、穴あきカバー５２としては、管部５２１を省略して、カバー本体を蓋２２に設けた穴を囲うようにして設けることで、蓋２２に設けた排気口が塞がれてしまうことを防止しつつ、二酸化炭素の排出を行うことができる。
【００５２】
図１に示す化学発光具１０では、第２の基材４０はシート状のものを第１の基材３０の周壁として巻いているが、図４に示すように第２の基材４１を凹凸状に形成することもできる。図４に示す第２の基材４１は、円周方向に沿って上下方向に延びる溝が配列されていることで凹凸状に形成されている。
【００５３】
第２の基材４１を凹凸状に形成することにより、第１の基材３０との接触面積が抑えられるため、接触することによる無用な発光を抑えることができる。また、第２の基材４１を凹凸状とすることで、平面状のものを巻き付けるより表面積を増加させることができるので、より明るい発光を得ることができる。
なお、図４に示す第２の基材４１では、溝が配列されていることで凹凸状に形成されているが、窪み（ディンプル）を全面に設けることで凹凸状としてもよい。
【００５４】
（実施例）
図１に示す化学発光具１０を用いて化学発光現象を確認した。
溶液Ａとして、シュウ酸エステルとしてビス（２，４，５−トリクロロ−６−カルボブトキシフェニルオキザレート）１０重量％と、青色蛍光物質として９，１０−ビス−（４−メトキシフェニル）−２−クロロアントラセン０．１２重量％と、溶媒としてフタル酸ジメチル８９．８８重量％とから成る溶液を調製した。一方、溶液Ｂとして、過酸化水素３重量％と、有機酸としてｐ−トルエンスルホン酸０．０１重量％と、溶媒としてフタル酸ジブチル８９．９９重量％および第３ブタノール７重量％とから成る溶液を調製した。
【００５５】
次いで、溶液Ａと溶液Ｂとを混合したところ、透明な溶液が得られた（溶液ＡＢと称す）が、発光現象は全く認められなかった。溶液ＡＢのｐＨは４．０であった。また、溶液ＡＢの容量を１２０ｍＬとした。
次いで、触媒としてサリチル酸ナトリウムを含有する１重量％水溶液を調製し、第２の基材４０となる横幅が約２０ｃｍ、高さが５ｃｍ、厚みが１ｍｍの不織布に塗布して乾燥させ、乾燥前と変わらない白色の不織布を調製した。
【００５６】
容器２０となる飲料用のペットボトル（飲料水の内容量が３５０ｍｌ用）を準備して、
１０ｇの綿（第１の基材３０）をペットボトル内に収納させ、白色の不織布（第２の基材４０）を綿の外側に巻いて配置した。最後に、ペットボトルの飲み口から綿に向かって溶液ＡＢを垂らし含浸させた。
【００５７】
このように準備された化学発光具１０を数回握って変形させ、放置したところ、綿（第１の基材）から染み出した化学発光用組成物が白色の布（第２の基材）に接触することで、接触部分が発光し始めた。この発光は１週間持続した。
発光が減少して仄暗くなったことを確認して、再度、ペットボトルを数回握って変形させた。そうすると、再び、ペットボトル内で発光し始めた。このようにして、化学発光具１０の断続的な発光が確認できた。
【００５８】
（実施の形態１の変形例）
本発明の実施の形態１に係る化学発光具の変形例を図面に基づいて説明する。
この変形例では、化学発光を、容器２０の揺動により発光させることを特徴とするもので、図１から図４に示す化学発光具１０がそのまま使用できるため、各部の構成の説明は省略する。
【００５９】
図２では、容器２０を使用者が握り変形されることで、第１の基材３０から化学発光用組成物を染み出させていたが、変形例では、図５に示すように、使用者が腕を振るようにして容器２０を握った手を上下または左右に振って揺動させている。
化学発光具１０を振って揺動させると、容器２０が弧を描くように移動しているときには、第１の基材３０に含浸させた化学発光用組成物に遠心力が作用する。また、容器２０を振って停止させたときには化学発光用組成物に慣性力が作用する。このような力が化学発光用組成物に作用することで、第１の基材３０から染み出る。そして第１の基材３０から染み出た化学発光用組成物は第２の基材４０に担持された触媒と接触して蛍光物質を発光させる。
【００６０】
このように容器２０を変形させなくても、容器２０を揺動することで、所望とするタイミングで発光させたり、増光させたりすることができる。
【００６１】
（実施の形態２）
本発明に実施の形態２に係る化学発光具１１を図面に基づいて説明する。
図６に示す化学発光具１１は、両端が閉塞された軟質の樹脂チューブにより形成された容器６０内で発光させるものである。
【００６２】
容器６０の内側面に沿って第２の基材８０が設けられ、この第２の基材８０が第１の基材７０を内包している。また、第１の基材７０は、ガラスアンプルである破割性容器９０を内包している。
第１の基材７０は、実施の形態１にて説明した第１の基材３０を形成するものが使用できる。また、同様に、第２の基材８０は、実施の形態１にて説明した第２の基材４０を形成するものが使用できる。
【００６３】
破割性容器９０に溶液Ｘとして、酸化液（過酸化水素）を収納させた場合には、破割性容器９０の外側には溶液Ｙとして、蛍光液（シュウ酸エステル＋蛍光物質）を収納させる。また、破割性容器９０に溶液Ｘとして、蛍光液を収納させた場合には、破割性容器９０の外側には溶液Ｙとして、酸化液を収納させる。なお、酸化液および蛍光液には溶媒が適宜含まれている。また、実施の形態１で説明した有機酸を含有していてもよい。
【００６４】
このように構成された本発明の実施の形態２に係る化学発光具１１を使用するときには、まず化学発光具１１を二つ折りにして破割性容器９０を破割する。破割性容器９０が破壊されることで、内部から溶液Ｘが流出して外側の溶液Ｙと混合する。このようにして、蛍光液と酸化液とが混合する（以下、混合された溶液Ｘおよび溶液Ｙを溶液ＸＹと称す。）。混合した溶液ＸＹは、第１の基材７０に含浸される。
【００６５】
使用者は、腕を振るようにして容器６０を握った手を上下または左右に振ることで、化学発光具１１を揺動させる。化学発光具１１を振って揺動させると、容器６０が弧を描くように移動しているときには、第１の基材７０に含浸させた溶液ＸＹに遠心力が作用する。また、容器２０を振って停止させたときには溶液ＸＹに慣性力が作用する。このような力が溶液ＸＹに作用することで、第１の基材７０から染み出る。そして第１の基材７０から染み出た溶液ＸＹは第２の基材８０に担持された触媒と接触して蛍光物質を増光させる。
【００６６】
このようにして棒状の容器６０を揺動することで、蛍光液と酸化液とが混合した溶液ＸＹが触媒に接触して増光させることができるので、所望とするタイミングで増光することができる。
【産業上の利用可能性】
【００６７】
本発明は、事故の際の報知や火事の際の避難、被災したときの避難場所での生活、キャンプや水遊びなどのアウトドアでのレジャー、夜間に行われるイベントなどに効果を発揮させることができ、好適である。
【符号の説明】
【００６８】
１０，１１  化学発光具
２０  容器
２１  胴部
２２  蓋
３０  第１の基材
４０，４１  第２の基材
５０  排気部
５１  排気管
５２  穴あきカバー
５２１  管部
５２２  カバー本体
５２３  穴
５３  フィルタ
６０  容器
７０  第１の基材
８０  第２の基材
９０  破割性容器
【図１】
2013087161.tif 000003
【図２】
2013087161.tif 000004
【図３】
2013087161.tif 000005
【図４】
2013087161.tif 000006
【図５】
2013087161.tif 000007
【図６】
2013087161.tif 000008